(57)【要約】      （修正有）【課題】移動式であって、セキュリティが高く、しかもイベント会場等の規制にも合致させる構造とすることのできる移動式ICカード即時発行ブースを提供する。【解決手段】ICカード即時発行機を収容し、イベント会場等に、移動・据え付けられる移動式ICカード即時発行ブース１０であって、容易に破壊できない前壁１２、後壁１８、左側壁１４、右側壁、天井壁および底壁を備え、メンテナンスのため人間が入ることのできる広さを持つブース本体１０ａ、前壁１２、後壁１８、左側壁１４または右側壁の少なくとも一部に設けられた、ブース本体１０ａに対しての人間の出入りのための、鍵付きで容易に破壊できない第１扉、このブース本体１０ａに取り付けられたブース本体移動用の少なくとも３つのキャスター、およびブース本体１０ａに取り付けられ、キャスターの機能を無効にし、ブース本体１０ａを、所定の据え付け位置に据え付けるための据え付け手段を備える【選択図】図４
2019003601.tif 000002
【特許請求の範囲】
【請求項１】
基幹サーバーからのカード発行決済データを受け、ICカードを即時発行するICカード即時発行機を収容し、屋内外のイベント会場等の特殊な設置位置に、移動・据え付けられる移動式ICカード即時発行ブースであって、
容易に破壊できない前壁、後壁、左側壁、右側壁、天井壁および底壁を備え、通常は無人であるが、前記ICカード即時発行機のメンテナンスのため、人間が入ることのできる広さを持つブース本体、
前記前壁、後壁、左側壁または右側壁の少なくとも一部に設けられた、ブース本体に対してののメンテナンスのための人間の出入りのための、鍵付きで容易に破壊できない第１扉、
このブース本体に取り付けられたブース本体移動用の少なくとも３つのキャスター、および
前記ブース本体に取り付けられ、前記キャスターの機能を無効にし、前記ブース本体を、所定の据え付け位置に据え付けるための据え付け手段
を備えていることを特徴とする移動式ICカード即時発行ブース。
【請求項２】
前記ブース本体の下部に取り付けられ、所定の高さを有するフレーム状床袴部を備え、
前記キャスターおよび据え付け手段が、該フレーム状床袴部の内側に配置されている請求項１の移動式ICカード即時発行ブース。
【請求項３】
前記据え付け手段は、前記据え付け位置の据え付け面に接地する接地部材を備えたジャッキ型手段であって、このジャッキ型手段は、前記接地部材を、該接地部材が前記前記ブース本体の据え付け位置の前記据え付け面に接触し、前記キャスターを前記据え付け面から浮かせて無効化する下方の作用位置と、前記接地部材が前記据え付け面から離れ、全ての前記キャスターの最下部より上方に位置付けられるようにする、上方の不作用位置との間で垂直方向に移動可能である請求項１または２の移動式ICカード即時発行ブース。
【請求項４】
前記フレーム状床袴部の周囲壁には、前記据え付け手段を人間が操作するため、人間の一部が前記周囲壁内に入ることができるようにするための鍵付き操作用扉が設けられている請求項２または３の移動式ICカード即時発行ブース。
【請求項５】
前記第１扉に設けられた鍵は、前記ICカード即時発行機のメンテナンスを行う者の人体認証を伴わなければ開けられない鍵である請求項１の移動式ICカード即時発行ブース。
【請求項６】
前記人体認証が静脈認証である請求項５の移動式ICカード即時発行ブース。
【請求項７】
前記第１扉には、発行されたICカードを外部に取り出すための取出し用開口が形成されている請求項１の移動式ICカード即時発行ブース。
【請求項８】
前記第１扉は、前記ブース本体の前壁に設けられている請求項１の移動式ICカード即時発行ブース。
【請求項９】
前記ブース本体の前壁、後壁および左右壁のうち、前記第１扉が設けられている壁に対向する壁に、ICカード即時発行機をブース本体外に移動するための第２扉が設けられている請求項１の移動式ICカード即時発行ブース。
【請求項１０】
前記第２扉は、ブース本体の内側からのみ開くことができるようになっている請求項９の移動式ICカード即時発行ブース。
【請求項１１】
前記ブース本体の天井壁に、ICカード即時発行機のメンテナンス用の扉の開閉に干渉しないようにするための第３扉が設けられている請求項１の移動式ICカード即時発行ブース。
【請求項１２】
前記第３扉は、ブース本体の内側からのみ開くことができるようになっている請求項１１の移動式ICカード即時発行ブース。  
【請求項１３】
前記移動式ICカード即時発行ブースの近傍には、前記基幹サーバーに、審査用端末からのICカード即時発行申込のための顧客データを送信するための審査用端末が配置され、また、前記移動式ICカード即時発行ブース外部には、前記基幹サーバーからのカード発行決済データを受け、これを、前記移動式ICカード即時発行ブース内に配置されたICカード即時発行機に送信するICカード即時発行用端末が配置され、前記基幹サーバーは、前記審査用端末からの顧客データに基づきＩＣカード発行の可否を審査し、その結果を前記ICカード即時発行用端末に送信する機能、前記ICカード即時発行用端末からの受付番号を伴う発行決済データに基づき、ＩＣデータ付きカード発行データを生成し、それをカード発行データファイルに記憶する機能、および前記審査用端末からの前記受付番号を伴っての指示により、前記カード発行データファイルに記憶されたＩＣデータ付きカード発行データを前記ICカード即時発行用端末に送信する機能を有し、前記ICカード即時発行機は前記ICカード即時発行用端末からのＩＣデータ付きカード発行データによりＩＣカードを自動発行するようになっている請求項１〜１２のいずれかの移動式ICカード即時発行ブース。
【請求項１４】
前記内部に、該ブース内を監視するための監視カメラが取り付けられた請求項１〜１３のいずれかの移動式ICカード即時発行ブース。
【請求項１５】
前記取出し用開口の外側に、発行されたＩＣカードを受けるための受けトレーが設けられた請求項７の移動式ICカード即時発行ブース。
【請求項１６】
前記人体認証を行わずに内部に侵入した者がいる場合、この者を感知して警報を発するセンサーが設けられている請求項５または６の移動式ICカード即時発行ブース。
【請求項１７】
前記ブース本体の前壁の略全体が前記第１扉となっており、前記後壁の略全体が前記第２扉となっている請求項９の移動式ICカード即時発行ブース。
【発明の詳細な説明】
【技術分野】
【０００１】
本発明は、移動式ICカード即時発行ブースに関するものである。
【背景技術】
【０００２】
従来、磁気カードについては、金融、クレジット業界において、店舗サービスカウンタでの即時発行、ＡＴＭでの無人発行、ビューロで発行したカードを最速で届ける至急発行等が活発に行われている。
【０００３】
一方、ＩＣカードの即時発行については、磁気同様ニーズは高いものの、運用上の課題の他、技術的課題も多く、普及している状況にはない。クレジットカードやキャッシュカード等は、磁気カードに比してカード発行工程が複雑になり、かつ高いセキュリティを必要とする。そのため、従来のように顧客からのカード発行要請によりイシュアセンタで行う与信処理から以降の発行処理工程を全て発行カウンタ内の設備で行おうとすると、発行カウンタに置く設備、ソフトウエアが大規模になるという問題があった。また、セキュリティを保証するための装置（ＨＳＭ：Hardware Security Module）を公開空間である発行カウンタ内に設置するのは、処理特性上無理がある。
この問題を解決するため、登録センタで作成されたカード発行データを、通信回線を介して受信し、カード発行装置でカード発行を行うことによって、申込から短時間でカードの発行処理を行うことができ、カード発行時に必要な申込書に記載された事項に基づく情報の入力処理を不要として効率的なカードの発行処理を行うことのできるカード発行システムがある（例えば、特許文献１参照。）。
【０００４】
しかし、カード発行においてカード毎に生成され、カードに格納される暗号鍵、証明書、パラメータ等のカード発行データは、秘匿性が高く、漏洩を防止するため、セキュリティの高い環境で取り扱わなければならないが、特許文献１においては、セキュリティについての詳細な記載が見あたらない。
【０００５】
セキュリティの高い環境において、ＩＣカードの即時発行が可能なＩＣカード即時発行システムとしては、例えば、特開２００５−３８４１９号で提案されたものが知られている。
【０００６】
特開２００５−３８４１９号で提案されたＩＣカード即時発行システムは、ＩＣカード発行端末を備えたＩＣカード発行カウンタと、ＩＣカード発行カウンタからの発行要求によりＩＣカードデータを生成するＩＣカードデータ生成手段、生成したＩＣカードデータを暗号化する暗号化手段、暗号化したＩＣカードデータをＩＣカード発行カウンタへ送信するとともに、ネットワーク経由で復号化処理するＩＣカード発行端末制御手段とを備えたＩＣカードデータ生成センタとを備え、ＩＣカード発行端末は、ネットワーク経由でＩＣカード発行端末制御手段により復号されるデータをＩＣカードへ書き込んでカード発行することを特徴とするものである。
【０００７】
上記のＩＣカード即時発行システムによれば、高セキュリティのセンタでＩＣカードデータを生成するので、カードデータ自体の生成は高セキュリティに生成することができるが、ＩＣカード発行機が店舗等のＩＣカード発行カウンタに設置されるので、このＩＣカード発行機に第三者が比較的アクセスしやすく、ＩＣカード発行機内部の生ＩＣカード、ＩＣカードの作成に必要な制御部等の盗難の恐れが多々ある。
【０００８】
そこで、本願出願人等は、実用新案登録第３１４２９２８号公報等で、ＩＣカード発行機についてのセキュリティの高いＩＣカード即時発行ブースを提案を提案した。
【０００９】
上記実用新案登録第３１４２９２８号公報で提案されたＩＣカード即時発行ブースは、内部に少なくとも１台のICカード発行機が設置されたＩＣカード即時発行ブースであって、前記ＩＣカード発行機は、ブース外部からの信号によりICカードを自動発行するものであり、前記ブース内は、通常は無人であるが、前記ＩＣカード発行機のメンテナンスのため人間が入ることのできる広さを持ち、容易に破壊できない壁を備え、前壁の一部に、鍵付きで容易に破壊できない扉が設けられており、また、前記前壁には、前記ＩＣカード発行機で自動発行されたＩＣカードをブース外に排出するためのＩＣカード排出口が設けられていることを特徴とするものである。
【００１０】
このICカード即時発行ブースによれば、上記のような構造を備えているので、店舗のような第三者のアクセスが比較的容易な場所にＩＣカード発行機を設置しても、高いセキュリティ性能をもった状態でＩＣカードを即時に発行することができるという大きな利点がある。また、内部に設置される在庫の生ＩＣカード用の金庫のセキュリティが良好に保てられる。また、一方で、発行するＩＣカードに書き込むカード発行データはセキュリティの良好なシステムセンターに設置された基幹サーバーによって生成されるので、この点においてもセキュリティが良好に保たれる。
【００１１】
ところで、近年、屋外やショッピングモールでのイベントの際に、それに伴って仮店舗で物販（即売）を行う場合や、逆に、物販（即売）のための集客ために、イベントを行う場合がある。
このような場合、顧客（潜在的顧客）は、物販（即売）でのショッピングを行おうにも、現金の持ち合わせがなく、購入が行えないことがある。また、店舗側が、クレジットカードに対応可能としても、顧客がクレジットカードを持たない場合には、この時にも、顧客は購入のチャンスを逃してしまう。
これは、顧客にとっても、店舗側にとっても、デメリットが大きい。
【００１２】
このとき、店舗側が、顧客（潜在的顧客）に対し、クレジットカードを、そのイベント会場にて、即時発行することができれば、上記ののようなデメリットに対応できるが、上記した実用新案登録第３１４２９２８号公報等に開示されたICカード即時発行機を収容するブースは、店舗固定式であるので、上記のようなイベント用会場等に一時的に設置し、所定の期間が過ぎると、撤去を余儀なくされる態様のものについては、対応できないという問題がある。
また、イベント会場等によっては、設置許可をする構造物（什器）について、その高さ制限すなわち規制（高さ１３５０ｍｍ以下）を設けているもの（規制）もあり、設置許可を請求するには、これにも対応しなければならない。
【先行技術文献】
【特許文献】
【００１３】
【特許文献１】特開２００２−２４９２０号公報
【特許文献２】特開２００５−３８４１９号公報
【特許文献３】実用新案登録第３１４２９２８号公報
【発明の開示】
【発明が解決しようとする課題】
【００１４】
そこで、本発明は、移動式であって、セキュリティが高く、しかもイベント会場等の規制にも合致させる構造とすることのできる移動式ICカード即時発行ブースを提供することをもくてきとする。
【課題を解決するための手段】
【００１５】
上記課題は、下記（１）〜（１７）の構造の本発明による移動式ICカード即時発行ブースによって達成される。
（１）
基幹サーバーからのカード発行決済データを受け、ICカードを即時発行するICカード即時発行機を収容し、屋内外のイベント会場等の特殊な設置位置に、移動・据え付けられる移動式ICカード即時発行ブースであって、
容易に破壊できない前壁、後壁、左側壁、右側壁、天井壁および底壁を備え、通常は無人であるが、前記ICカード即時発行機のメンテナンスのため、人間が入ることのできる広さを持つブース本体、
前記前壁、後壁、左側壁または右側壁の少なくとも一部に設けられた、ブース本体に対してのメンテナンスのための人間の出入りのための、鍵付きで容易に破壊できない第１扉、
このブース本体に取り付けられたブース本体移動用の少なくとも３３つのキャスター、および
前記ブース本体に取り付けられ、前記キャスターの機能を無効にし、前記ブース本体を、所定の据え付け位置に据え付けるための据え付け手段
を備えていることを特徴とする移動式ICカード即時発行ブース。
（２）
前記ブース本体の下部に取り付けられ、所定の高さを有するフレーム状床袴部を備え、
前記キャスターおよび据え付け手段が、に配置されている前記（１）の移動式ICカード即時発行ブース。
（３）
前記据え付け手段は、前記据え付け位置の据え付け面に接地する接地部材を備えたジャッキ型手段であって、このジャッキ型手段は、前記接地部材を、該接地部材が前記前記ブース本体の据え付け位置の前記据え付け面に接触し、前記キャスターを前記据え付け面から浮かせて無効化する下方の作用位置と、前記接地部材が前記据え付け面から離れ、全ての前記キャスターの最下部より上方に位置付けられるようにする、上方の不作用位置との間で垂直方向に移動可能である前記（１）または（２）の移動式ICカード即時発行ブース。
（４）
前記フレーム状床袴部の周囲壁には、前記据え付け手段を人間が操作するため、人間の一部が前記周囲壁内に入ることができるようにするための鍵付き操作用扉が設けられている前記（２）または（３）の移動式ICカード即時発行ブース。
（５）
前記第１扉に設けられた鍵は、前記ICカード即時発行機のメンテナンスを行う者の人体認証を伴わなければ開けられない鍵である前記（１）の移動式ICカード即時発行ブース。
（６）
前記人体認証が静脈認証である前記（５）の移動式ICカード即時発行ブース。
（７）
前記第１扉には、発行されたICカードを外部に取り出すための取出し用開口が形成されている前記（１）の移動式ICカード即時発行ブース。
（８）
前記第１扉は、前記ブース本体の前壁に設けられている前記（１）の移動式ICカード即時発行ブース。
（９）
前記ブース本体の前壁、後壁および左右壁のうち、前記第１扉が設けられている壁に対向する壁に、ICカード即時発行機をブース本体外に移動するための第２扉が設けられている前記（１）の移動式ICカード即時発行ブース。
（１０）
前記第２扉は、ブース本体の内側からのみ開くことができるようになっている前記（９）の移動式ICカード即時発行ブース。
（１１）
前記ブース本体の天井壁に、ICカード即時発行機のメンテナンス用の扉の開閉に干渉しないようにするための第３扉が設けられている前記（１）の移動式ICカード即時発行ブース。
（１２）
前記第３扉は、ブース本体の内側からのみ開くことができるようになっている前記（１１）の移動式ICカード即時発行ブース。  
（１３）
前記移動式ICカード即時発行ブースの近傍には、前記基幹サーバーに、審査用端末からのICカード即時発行申込のための顧客データを前記基幹サーバーに送信するための審査用端末が配置され、また、前記移動式ICカード即時発行ブース外部には、前記基幹サーバーからのカード発行決済データを受け、これを、前記移動式ICカード即時発行ブース内に配置されたICカード即時発行機に送信するICカード即時発行用端末が配置され、前記基幹サーバーは、前記審査用端末からの顧客データに基づきＩＣカード発行の可否を審査し、その結果を前記ICカード即時発行用端末に送信する機能、前記審査用端末からの受付番号を伴う発行決済データに基づき、ＩＣデータ付きカード発行データを生成し、それをカード発行データファイルに記憶する機能、および前記審査用端末からの前記受付番号を伴っての指示により、前記カード発行データファイルに記憶されたＩＣデータ付きカード発行データを前記ICカード即時発行用端末に送信する機能を有し、前記ICカード即時発行機は前記ICカード即時発行用端末からのＩＣデータ付きカード発行データによりＩＣカードを自動発行するようになっている前記（１）〜（１２）のいずれかの移動式ICカード即時発行ブース。
（１４）
前記内部に、該ブース内を監視するための監視カメラが取り付けられた前記（１）〜（１３）のいずれかの移動式ICカード即時発行ブース。
（１５）
前記取出し用開口の外側に、発行されたＩＣカードを受けるための受けトレーが設けられた前記（７）の移動式ICカード即時発行ブース。
（１６）
前記人体認証を行わずに内部に侵入した者がいる場合、この者を感知して警報を発するセンサーが設けられている前記（５）または（６）の移動式ICカード即時発行ブース。
（１７）
前記ブース本体の前壁の略全体が前記第１扉となっており、前記後壁の略全体が前記第２扉となっている前記（９）の移動式ICカード即時発行ブース。
【発明の効果】
【００１６】
本発明の移動式ICカード即時発行ブースによれば、上記のような構造であるので、ICカード即時発行機を、保管場所や他のイベント会場から目的とするイベント会場等へ、高いセキュリティの状態で運搬でき、そして当該目的場所に据え付け、運用等することができる。
また、イベント会場等によっては、構造物（什器）の高さ制限を設けているところもあるが、この規制にも容易に対処できる。
【図面の簡単な説明】
【００１７】
【図１】発行されるＩＣカードの表面を示す図である。
【図２】発行されるＩＣカードの裏面を示す図である。
【図３】本発明の実施の形態による移動式ICカード即時発行ブース内に配置されたICカード即時発行機を備えたＩＣカード即時発行システムの概要を説明するための模式図である。
【図４】本発明の実施の形態による移動式ICカード即時発行ブースの斜視正面図である。
【図５】図４に示したブース正面図である。
【図６】図４に示したブースの一方の側面図である。
【図７】図４に示したブースの背面図である。
【図８】図４に示したブースのの平面図である。
【図９】図４に示したブースの床袴部に設けられたキャスターおよび据え付け手段の配置状態を説明するための図である。
【図１０】図９に示した据え付け手段が作用位置と不作用位置にあるとのきのキャスターとの垂直方向の位置関係を示す図である。なお。この図においては、１対のキャスターおよび据え付け手段のみを示した。
【図１１】本発明の実施の形態による移動式ＩＣカード即時発行ブース内に配置されたＩＣカード即時発行機の内部構造の一例を示すための模式図である。
【発明を実施するための形態】
【００１８】
以下、添付図面を参照しつつ本発明の実施の形態による移動式ICカード即時発行ブース内に配置されたICカード即時発行機を備えたＩＣカード即時発行システムに付いて説明する。
まず、ＩＣカード即時発行システムを説明する前に、本システムによって発行されるＩＣカードＣについて図１、図２を参照して説明する。
【００１９】
図１はＩＣカードＣの表面を示す図であり、図２はＩＣカードＣの裏面を示す図である。
なお、ＩＣカードＣは、４種類（色違い等）あり、後に説明するＩＣカード発行機の５つのホッパーに、種類ごとに収容されている。各生ＩＣカードの磁気ストライプには、予めそのカードの示すデータが書き込まれている。ＩＣカードＣは、カード番号、有効期限およびローマ字氏名がエンボスされたエンボス部Ｃ１、カード番号および第２暗号がインデントされたインデント部Ｃ２（裏面）、磁気ストライプ情報（カード番号、有効期限、第１暗号等）がエンコードされたカード表裏の磁気ストライプＣ３（表面の磁気ストライプは表れていない）、およびＩＣデータ（暗号化されたカード番号、有効期限、暗証番号、第３暗号等）が書き込まれたＩＣチップＣ４を備えている。
【００２０】
次に、図３を参照しつつ、ＩＣカード即時発行システム１００について説明する。
【００２１】
本ＩＣカード即時発行システム１００は、イベント会場等に設置され、内部にＩＣカード発行機３０を設置した移動式ICカード即時発行ブース（以下、単にブースと称することがある）１０、イベント会場等に設置された審査用ＰＣ１０２、ＩＣカード発行用ＰＣ１０４、およびイベント会場等とは遠隔の地にあるシステムセンターに設置された基幹サーバーであるセンターサーバー１０６を備えている。センターサーバー１０６は、システムセンター内にあって完全にセキュリティが保たれている。センターサーバー１０６は、カード発行の可否を審査する審査処理部１０８、カード番号を採番しカード発行データを生成するカード発行データ生成部１１０、カード発行データ生成部１１０からのカード発行データを暗号化処理等を行ってＩＣデータを生成するＩＣデータ生成処理部１１２、カード発行データ生成部１１０およびＩＣデータ生成処理部１１２からのデータを受けてＩＣデータ付きカード発行データを生成するＩＣデータ付きカード発行データ生成部１１４、ならびＩＣデータ付きカード発行データ生成部１１４が生成したＩＣデータ付きカード発行データをプールするカード発行データファイル１１６を備えている。
【００２２】
次に、図４以降を参照して、本発明の実施の形態による移動式ICカード即時発行用ブース１０について説明する。
移動式ICカード即時発行用ブース１は、ブース本体１０ａおよびこのブース本体１０ａに連続して所定高さ延びる床袴体１０ｂを備えている。
【００２３】
図４は、本発明の実施の形態による移動式ICカード即時発行ブースの斜視正面図、図５は図４に示したブース正面図、図６は図４に示したブースの一方の側面図、図７は図４に示したブースの背面図、図８は図４に示したブースのの平面図（なお、この図においては、ブースの天井を外した状態で示した）、図９は図４に示したブースの床袴部に設けられたキャスターおよび据え付け手段の配置状態を説明するための図、および図１０は、図９に示した据え付け手段が作用位置と不作用位置にあるとのきのキャスターとの垂直方向の位置関係を示す図である。なお。この図１０においては、１対のキャスターおよび据え付け手段のみを示した。
【００２４】
上記ブース１０は、水平断面形状が矩形状の箱体であるブース本体１０ａおよびこのブース本体１０ａの下部から下方に延びる床袴体１０ｂを備えている。  前記ブース本体１０ａは、前壁１２、左右側壁１４、１６、後壁１８および天井壁２０を有している。これらの前壁１２、左右側壁１４、１６、後壁１８は、容易に破壊できない構造のものであり、例えば、内面にアルミ板を設置した木工パネルでできている。一方、天井壁２０は、アルミ板で構成されており、このアルミ板は、ブース本体１０ａ内の熱気を逃がせる仕様にするためパンチングされている。
【００２５】
上記前壁１２には、メンテナンスのためにブース１０内に人が入ることができるように、扉２２（第１扉）が設けられている。この扉２２は、前記前壁１２のほぼ全体を構成する１枚のパネルで構成されていることが好ましい。この扉２２には、１つまたは複数個の鍵１１（図示せず）が設けられており、この鍵は、メンテナンスを行う者（複数人が好ましい）人体認証を伴わなければ開けられない鍵であることが好ましい。用いられる人体認証は種類を問わないが、掌の静脈認証であることが好ましく、前記ブース本体１０ａ外部には、静脈認証を実施するための認証リーダーが配置されていることが好ましい。
なお、図４および５において、符号１３は、作業者が扉２２を開閉操作するための操作ハンドルを示す。
【００２６】
上記扉２２には、前記ICカード即時発行機により発行されたＩＣカードをブース１０外へ取り出すための取出し口２６が設けられている。ブース本体１０ａのこの取出し口２６の内側に、発行されたＩＣカードを受けるための受けトレーが配置されている。前記取出し口２６は扉状のアクリル製カバー２８でカバーされている。
【００２７】
前記ブース本体１０ａの内部には、前壁１２に接触して（あるいは極近傍に）１台のICカード即時発行機３０が設置されている。本例では、１台の例を示したが、複数台のICカード即時発行機を設置してもよい。ブース本体１０ａは、ＩＣカード発行時も通常は無人であるが、上記ICカード即時発行機３０のメンテナンスのため人間が入ることのできる広さを持っている。
【００２８】
前記後壁１８には、主にメンテナンスのために、ICカード即時発行機３０をブース本体１０ａ外に取り出すため使用される扉（第２扉）２３が設けられている。ICカード即時発行機３０はその重量が７０ｋｇ以上あるので、作業者がブース本体１０ａの前後に１人ずつ配置されて２人がかりで行われる。この扉２３は、前記ICカード即時発行機３０の前記取出しを容易にするため、前記前壁１２のほぼ全体を構成する１枚のパネルで構成されていることが好ましい。前記扉２２を、該前壁１２のほぼ全体を構成する１枚のパネルで構成するのも、同様の目的からである。この後壁１８側に設けられる扉２３には、鍵が設けられていて、ブース本体１０ａの内側からのみ開錠できるようになっており、外部からは開けないようになっている。
【００２９】
前記ICカード即時発行機３０には、その上面にジャムしたICカーを取り出す目的等で、上方に回動して開く扉が設けられている。この扉は、開くとき、ブース本体の天井壁２０が干渉する。また、このジャムしたICカーは、ブース本体１０ａの天井側から取り出すのが便利である。そこで、この実施の形態では、天井壁２０自体を上記の目的のために開かれる扉としている。以下、天井壁２０を天井扉２０と称することがある。この天井扉２０には、鍵が設けられていて、ブース本体１０ａの内側からのみ開錠することができ、外部からは開けないようになっている。
【００３０】
前記側壁１４（側壁１６であってもよい）には、ブース本体１０ａ内部のICカード即時発行機３を、外部の機器と繋ぐための回線を通すための開口１５が形成されている。
【００３１】
前記床袴体１０ｂは、ICカード即時発行機３０が内部に設置されたブース本
体１０ａを支えるため、十分な強度を持つものであり、金属製の周囲壁５０と天板５２とを備えている（図１０等を参照）。該天板５２は、ブース本体１０ａの底壁としても作用する。
【００３２】
前記天板５２の底面５２ａの４隅には、所定の高さを有するフレーム状床袴部から僅かに下方に突出した、ブース１０を移動可能にするための４つキャスター６０およびジャッキアップ式の据え付け手段６２が配置されている。
前記据え付け手段６２は、前記据え付け位置の据え付け面Ｇに接地する接地部材６４を備えたジャッキ型手段であって、このジャッキ型手段は、前記接地部材６４を、該接地部材６４が前記ブース本体１０ａの据え付け位置の前記据え付け面Ｇに接触し、前記キャスター６０を前記据え付け面Ｇから浮かせて無効化する下方の作用位置と、前記接地部材が前記据え付け面から離れ、全ての前記キャスター６０の最下部より上方に位置付けられるようにする、上方の不作用位置との間で垂直方向に移動可能である。
【００３３】
前記フレーム状床袴部１０ｂの周囲壁５０には、前記据え付け手段６２を人間が操作するため、人間の一部が前記周囲壁５０内に入ることができるようにするための鍵付き操作用扉５４が設けられている。
【００３４】
次に、図１１を参照して、上記ICカード即時発行機３０の構成について説明する。
このICカード即時発行機３０は、ブース外部からの信号によりＩＣカードを自動発行するものであり、図に示したように、４つのホッパー３２、エンボサー３４、インデンター３６、トッパー３８、エンコーダー４０、ＩＣライター４２、キャリッジ４４および制御部４６を備えている。
【００３５】
上記ホッパー３２は、内部に所定枚数の生ＩＣカードを収容するものであり、図示しない生ＩＣカード取り出し口を備えている。上記エンボサー３４は、上記生ＩＣカードにエンボスを行うものである。上記インデンター３６は、生ＩＣカードにインデントを行うものである。上記トッパー３８は、上記生ＩＣカードに形成されたエンボスに銀色のシールでコーティング（トッパー）を行うものである。上記エンコーダー４０は、生ＩＣカードの磁気ストライプにデータの書き込みを行うものである。上記ＩＣライター４２は、ＩＣチップにデータの書き込みを行うものである。上記キャリッジ４４は、所定の生ＩＣカードを上記ホッパー３２から引き出し、上記エンボサー３４、インデンター３６、トッパー３８、エンコーダー４０、ＩＣライター４２に順次搬送し、最後にＩＣカード発行機３０から排出するものである。上記制御部４６は、ブース１０外部のＩＣカード発行用ＰＣ１０４（図３参照）からのＩＣデータ付きカード発行データを受け、このデータに基づいて上記エンボサー３４、インデンター３６、トッパー３８、エンコーダー４０、ＩＣライター４２、キャリッジ４４を制御して、ＩＣカードの発行を行う。
【００３６】
上記ブース本体１０ａ内部には、該ブース本体１０ａ内を監視するための監視カメラ、上記人体認証を行わずに内部に侵入した者がいる場合、警報を発するための例えばマグネットセンサー（いずれも図示せず）が設置されている。
【００３７】
上記ブース本体１０ａ内には、上記の他、破損等のＩＣカードを細かく切断処理するためのシュレッダー５６が設置されている。なお、ブース本体１０ａ内部には、上記認証リーダー２４からの信号を受け、認証作業を行うための認証制御部が設けられている。
【００３８】
次に、以上説明したＩＣカード即時発行システム１００を用いての実際のＩＣカードの発行を説明する。
まず、上記した審査用ＰＣ１０２に顧客データ（氏名、生年月日、性別、住所、電話番号、カードの種類等）を入力すると、この顧客データが上記センターサーバー１０６の審査処理部１０８に送られ、ＩＣカード発行の可否の審査が行われ、その可否の結果は審査処理ＰＣに送られ、その結果がモニターに表示される。結果が否の場合には、そのまま作業は終了される。結果が可の場合には、審査用ＰＣ１０２に受付番号を入力して発行決済登録が行われる。この発行決済登録が行われると、カード発行データ生成部１１０は、カード番号を採番して、カードの種類のデータ、上記エンボス部Ｃ１用のデータ、上記インデント部Ｃ２用のデータ、磁気ストライプＣ３用のデータ、ＩＣチップＣ４用のデータ等を備えたカード発行データを生成する。
【００３９】
このカード発行用データのうちＩＣチップＣ４用のデータはＩＣデータ生成処理部１１２に送られる。ＩＣデータ生成処理部１１２は、ＩＣチップＣ４用のデータを暗号化してＩＣデータを生成し、それをＩＣデータ付きカード発行データ生成部１１４に送る。ＩＣデータ付きカード発行データ生成部１１４には、カード発行データ生成部１１０からのカードの種類のデータ、上記エンボス部Ｃ１用のデータ、上記インデント部Ｃ２用のデータ、磁気ストライプＣ３用のデータも送られてきており、該ＩＣデータ付きカード発行データ生成部１１４は、これらの送られてきたデータを組み合わせて、カードの種類のデータ、上記エンボス部Ｃ１用のデータ、上記インデント部Ｃ２用のデータ、磁気ストライプＣ３用のデータ、ＩＣチップＣ４用の暗号化されたデータ等を備えるＩＣデータ付きカード発行データを生成する。このＩＣデータ付きカード発行データは上記の受付番号とともにカード発行データファイル１１６にプールされる。
【００４０】
上記ＩＣカード発行用ＰＣ１０４は、カード発行データファイル１１６に接続されており、該ＩＣカード発行用ＰＣ１０４に上記受付番号を入力してカード発行データの取得を指示すると、カード発行データファイル１１６からＩＣデータ付きカード発行データが該ＩＣカード発行用ＰＣ１０４に送信され、該ＩＣカード発行用ＰＣ１０４はそのデータを記憶する。
【００４１】
上記ＩＣカード発行用ＰＣ１０４は、上記したようにＩＣデータ付きカード発行データを記憶する（処理後はログも残らない）とともに、このＩＣデータ付きカード発行データをＩＣカード発行機３０の制御部４６に送信して実際のカードの発行を指示する。
【００４２】
上記制御部４６は、まず上記ＩＣデータ付きカード発行データのカードの種類のデータに基づき、キャリッジ４４を作動し、所定のホッパー３２からカードの種類のデータで指示された種類の生ＩＣカードを引き出す。ここで、引き出した生ＩＣカードの磁気ストライプに予め書き込まれたカードの種類のデータを読み出し、引き出された生ＩＣカードの種類を確認する。このカードの種類の確認後、キャリッジ４４は、引き出された生ＩＣカードをエンボサー３４に搬送する。
【００４３】
生ＩＣカードがエンボサー３４に搬送されると、上記制御部４６は、上記ＩＣデータ付きカード発行データのエンボス部Ｃ１用のデータに基づきエンボサー３４を作動し、生ＩＣカードにカード番号、有効期限、ローマ字氏名をエンボスする。このエンボス作業が終了すると、制御部４６は、キャリッジ４４を作動して、生ＩＣカードをエンボサー３４から取り出し、インデンター３６に搬送する。
【００４４】
エンボスが行われた生ＩＣカードがインデンター３６に搬送されると、上記制御部４６は、上記ＩＣデータ付きカード発行データのインデント部Ｃ２用のデータに基づきインデンター３６を作動し、カード裏面のサインパネル上部に、カード番号および第２暗号をインデント（刻印）する。インデント作業が終了すると、制御部４６は、キャリッジ４４を作動して、生ＩＣカードをインデンター３６から取り出し、トッパー３８に搬送する。
【００４５】
インデントが行われた生ＩＣカードがトッパー３８に搬送されると、上記制御部４６は、トッパー３８を作動して、上記したカード番号、氏名等のエンボスを銀色のシールでコーティングする。このコーティング作業が終了すると、
制御部４６は、キャリッジ４４を作動して、生ＩＣカードをトッパー３８から取り出し、エンコーダー４０に搬送する。
【００４６】
上記コーティングが行われた生ＩＣカードがエンコーダー４０に搬送されると、上記制御部４６は、上記ＩＣデータ付きカード発行データの表裏の磁気ストライプ用のデータに基づきエンコーダー４０を作動して、磁気ストライプＣ３（表面の磁気ストライプは図示されていない）に磁気ストライプ情報（カード番号、有効期限、第１暗号等）がエンコードする（書き込む）。このエンコード作業が終了すると、制御部４６は、キャリッジ４４を作動して、生ＩＣカードをエンコーダー４０から取り出し、ＩＣライター４２に搬送する。
【００４７】
上記エンコードが行われた生ＩＣカードがＩＣライター４２に搬送されると、上記制御部４６は、上記ＩＣデータ付きカード発行データのＩＣデータに基づきＩＣライター４２を作動し、ＩＣチップＣ４にＩＣデータ（暗号化されたカード番号、有効期限、暗証番号、第３暗号等）を書き込んで、ＩＣカードＣを得る。このように全ての情報の書き込み等が終了すると、制御部４６は、キャリッジ４４を作動して、ＩＣカードＣをＩＣライター４２から取り出し、ＩＣカードＣを搬送して、ＩＣカード発行機３０のＩＣカード排出口からＩＣカード発行機３０外に取り出される。こうしてＩＣカードＣの発行を完了する。本ＩＣカードの発行は、申込者がＩＣカードの発行を申し込んでから２０〜３０分程度で行われる。
【００４８】
以上説明したように、本ＩＣカード即時発行システムにおいては、ＩＣカード発行機が上記したような構造の移動式ICカード即時発行用ブース内に設置されているので、何れの据え付け位置にも設置でき、イベント等において、セキュリティを確保（ＩＣカード発行機等に不審者がアクセスするのが極めて困難）したう上で、容易かつ短時間でＩＣカードの発行ができる。
【符号の説明】
【００４９】
Ｃ  ＩＣカード
Ｃ１  エンボス部
Ｃ２  インテンド部
Ｃ３  磁気ストライプ
Ｃ４  ＩＣチップ
１０  移動式ICカード即時発行用ブース
１０ａ  ブース本体
１０ｂ  床袴体
１２  前壁
１４  左側壁
１６  右側壁
１８  後壁
２０  天井壁
２２  扉
２４  認証リーダー
２６  取出し口
３０  ICカード即時発行機
３２  ホッパー
３４  エンボサー
３６  インデンター
３８  トッパー
４０  エンコーダー
４２  ＩＣライター
４４  キャリッジ
４６  制御部
５０  監視カメラ
５２  パッシブセンサー
５６  シュレッダー
６０  キャスター
６２  据え付け手段
１００  ＩＣカード即時発行システム
１０２  審査用ＰＣ
１０４  ＩＣカード発行用ＰＣ
１０６  センターサーバー
１０８  審査処理部
１１０  カード発行データ生成部
１１２  ＩＣデータ生成処理部
１１４  ＩＣデータ付きカード発行データ生成部
１１６  カード発行データファイル
【図１】
2019003601.tif 000003
【図２】
2019003601.tif 000004
【図３】
2019003601.tif 000005
【図４】
2019003601.tif 000006
【図５】
2019003601.tif 000007
【図６】
2019003601.tif 000008
【図７】
2019003601.tif 000009
【図８】
2019003601.tif 000010
【図９】
2019003601.tif 000011
【図１０】
2019003601.tif 000012
【図１１】
2019003601.tif 000013